(57)【要約】細長い本体と、反射機構及びティーとを有するパッテング練習具。上記細長い本体は上面を有する。上記反射機構は上記上面と一線をなす上面を有する。上記反射機構は、用いられるゴルフボールの直径より大きい長さを有する。上記ティーは、上記細長い本体と反射機構の少くとも一つに設ける。このティーはゴルフボールの一部を受け取る。
2016514573.tif 000002
【特許請求の範囲】
【請求項１】
上面を有する細長い本体と、上記上面と一線をなす上面を有する反射機構と、上記細長い本体と反射機構の少くとも１つに設けたティーとより成り、上記反射機構は用いるゴルフボールの直径より大きい長さであり、上記ティーが上記ゴルフボールの一部を受け取るパッテング練習具。
【請求項２】
上記反射機構が上記細長い本体に形成したくぼみ内に設けられている請求項１記載のパッテング練習具。
【請求項３】
上記細長い本体がこの本体の幅の少くとも１０倍の長さを有し、上記幅が用いられるゴルフボールの直径より小さい請求項１記載のパッテング練習具。
【請求項４】
上記細長い本体がその両端に形成した第１、第２の端と、この第１、第２の端間で延びる第１、第２の縁と、上記第１、第２の端間の中間で少くとも部分的に延びる第１の直線とを有する請求項１記載のパッテング練習具。
【請求項５】
上記反射機構が上記第１の直線と一線をなす第２の直線を有する請求項４記載のパッテング練習具。
【請求項６】
上記細長い本体と反射機構の少くとも１つに形成した傾斜面を有する請求項１記載のパッテング練習具。
【請求項７】
上記細長い本体の第１の端に近い区域の厚さが次第に変化している請求項１記載のパッテング練習具。
【請求項８】
上記パッテング練習具の少くとも一方向の水平度を示す水平度表示装置を有する請求項１記載のパッテング練習具。
【請求項９】
或る直径を有するゴルフボールと、
上面を有する細長いその幅が上記ゴルフボールの直径以下である本体と、上記細長い本体の上面と一線をなす上面を有する、上記ゴルフボールの直径より大きい長さの反射機構と、上記細長い本体と上記反射機構の少くとも１つに設けた、上記ゴルフボールの一部を受け取るティーとを有するパッテング練習具と、
上記ティー上に置かれたゴルフボールに接触でき、上記細長い本体の上面に沿ってゴルフボールを転動できるゴルフクラブと
より成るパッテング練習システム。
【請求項１０】
上記反射機構が上記細長い本体に形成したくぼみ内に設けられている請求項９記載のパッテング練習システム。
【請求項１１】
上記細長い本体がその両端に形成した第１、第２の端と、この第１、第２の端間で延びる第１、第２の縁と、上記第１、第２の端間及び上記第１、第２の縁間の中間で少くとも部分的に延びる第１の直線と、上記第１の直線と一線をなす上記反射機構上の第２の直線とを有する請求項９記載のパッテング練習システム。
【請求項１２】
上記細長い本体と反射機構の少くとも１つにくぼみ近くで形成した傾斜面を有する請求項９記載のパッテング練習システム。
【請求項１３】
上記細長い本体の第１の端に近い区域の厚さが次第に変化している請求項９記載のパッテング練習システム。
【請求項１４】
上記パッテング練習具の少くとも一方向の水平度を示す水平度表示装置を有する請求項９記載のパッテング練習システム。
【請求項１５】
上面を有する細長い本体と、上記上面と一線をなす上面を有する反射機構と、上記細長い本体と反射機構の少くとも１つに設けた、ボールの一部を受け取るティーとより成るパッテング練習具を用い、上記細長い本体の幅より大きい直径のゴルフボールの一部を上記ティーに載せ、
上記パッテング練習具に対する使用者の位置を変えて使用者の姿が上記反射機構内で見得るようにし、
ゴルフクラブで上記ティー上に載せたゴルフボールを打ち、ゴルフボールを上記パッテング練習具の上面に沿って転動せしめる
パッテング練習具の使用方法。
【請求項１６】
上記細長い本体がその両端に形成した第１、第２の端と、この第１、第２の端間で延びる第１、第２の縁とを有し、
上記第１、第２の端間で且つ上記第１、第２の縁の中間で少くとも部分的に延びる第１の直線と、この第１の直線と一線をなす第２の直線とを設け、ゴルフボールをゴルフクラブで打ってゴルフボールを少くとも上記第１、第２の直線の少くとも一つに沿って転動せしめる、請求項１５記載の方法。
【請求項１７】
上記パッテング練習具が、上記細長い本体と反射機構の少くとも一つに形成した傾斜面を有し、ゴルフクラブによってゴルフボールを上記傾斜面に沿って上記ティーに移動せしめる請求項１５記載の方法。
【請求項１８】
上記細長い本体の上記第１端に近い区域の厚さが次第に変化し、ゴルフボールがこの区域を越えて転動する請求項１５記載の方法。
【請求項１９】
上記パッテング練習具の少くとも一方向の水平度をこれを示す水平度表示装置を用いて定める請求項１５記載の方法。
【発明の詳細な説明】
【技術分野】
【０００１】
本発明はゴルフの技量向上に用いる装置、特にパッテング練習具に関するものである。
【背景技術】
【０００２】
ゴルフ、特にパッテングの技量向上には種々の装置が開発されている。特殊な装置としては、パッテングストロークに関するものがある。
【０００３】
ボールのアドレスに関連しては、足、肩、腰、手及び眼等の位置が問題となる。バックスインク及びパッテングストロークのフォロースルーに好ましい眼と手の位置、打力も問題となる。
【０００４】
装置に関する複雑さは、繰り返す練習を介して訂正する数に比例する。或る装置では練習ホールを含む芝生に近似したパッテング面を有する。或るものはストローク条件をフィードバックするための電子センサを含む。
【０００５】
或るものはゴルフボールの室内練習を行なうため床面上またはＨＶＡＣシステムレジスタ内に置き得るターゲットホールを有する。或る装置ではヘッド位置補正のための反射機構または磁気的インジケータを有する。他のものはパターに対し腕、手首及びまたはヘッド位置を定めるための機械的抑制具を有する。
【０００６】
夛くの装置は、パッテングストローク運動の間ボールに対するパターヘッドの直交性を確実ならしめる。或る装置は、機械ゲージ及び反射機構を有し、ゴルファはストロークの間の頭の動きをモニタできる。或る装置はパターシャフトが直線運動をなすようにするガイド面を有する。
【０００７】
後述する夛くの装置によって繰り返し練習が可能であるが、好ましいストロークの運動を行なうためボールの軌跡をフィードバックするという効果をゴルファが得られないという欠点を有する。
【０００８】
従って、繰り返しの練習では学んだストロークを単に行なうのみであり、正しい結果は得られない。練習装置では正常なストローク運動を示し、ゴルファは運動の選択された部分をモニタし、ボールの軌跡をフィードバックできるようにするのが好ましい。
【０００９】
正しい向きとしたパターでゴルフボールを直線に沿って打つようにスイングすることが重要であり、パッテングの１つの目標であることは知られている。
【００１０】
細長いゴルフストローク練習装置は米国特許第５，４０９，２３１号公報に示されている。この練習装置では、装置上にゴルフボールを置き、これをパターで打ち、ゴルフボールがゴルフストローク練習装置に沿ってころがり、ゴルフボールの初期位置の反対側の端部に向うようにする。
【００１１】
上述の従来装置の欠点をふまえて本発明ではゴルファが自己の初期位置とバックスイングの間のストローク運動をモニタできるようにすると共に、パターヘッドがボールに直角になっているか否かを確認し、また、細長い移動路に沿ってゴルフボールが直線的に移動することを確認できるようにしたものである。この結果、正しいパッテングに対応した制御された正しいバックスイングとフォロースルーが得られるようになる。
【発明の概要】
【００１２】
本発明の一実施例は細長い本体と、反射材料機構と、ティーを取り付けたパッテング練習具である。この細長い本体は上面を有する。上記反射機構は上記細長い本体の上面と一線をなす上面を有する。
【００１３】
上記反射機構は、上記パッテング練習具と共に用いるゴルフボールの直径より大きい長さを有する。上記ティーを細長い本体と反射機構の少くとも一つに設ける。上記ティーによりゴルフボールの一部を受け取るようにする。
【００１４】
本発明の他の実施例におけるパッテング練習システムは、ある直径を有するゴルフボールと、パッテング練習具と、ゴルフクラブとを含む。上記パッテング練習具は細長い本体と、反射機構と、ティーを含む。
【００１５】
上記細長い本体は上面を有する。この細長い本体の幅はゴルフボールの直径より小さい。上記反射機構は、上記細長い本体の上面と一線をなす上面を有する。上記反射機構の長さは、用いられるゴルフボールの直径より大きい。
【００１６】
上記ティーは上記細長い本体と反射機構の少くとも一つに設ける。このティーによりゴルフボールの一部を受け取る。ゴルフボールをティー上に載せたとき、ゴルフクラブをこのゴルフボールに当て、ゴルフボールを上記細長い本体の上面に沿って転動できるようにする。
【００１７】
本発明の他の実施例はゴルフボールのパッテング方法に関する。パッテング練習具には、細長い本体と、反射機構と、ティーとを有せしめる。上記細長い本体は上面を有する。上記反射機構は、上記細長い本体の上面と一線をなす上面を有する。上記ティーは、上記細長い本体と反射機構の少くとも一方に設ける。
【００１８】
ゴルフボールはその一部を上記ティーに位置せしめる。このゴルフボールの直径は上記細長い本体の幅以上とする。上記反射機構の長さは、上記パッテング練習具に用いるゴルフボールの直径以上とする。
【００１９】
ゴルフクラブによってゴルフボールを打つ前に、使用者は自身の映像を上記反射機構内で見得るように上記パッテング練習具に対する自己の位置を調節する。上記ゴルフクラブを上記パッテング練習具に相対的に移動してゴルフボールを打ち、ゴルフボールを上記練習具の上面に沿って転動せしめる。
【図面の簡単な説明】
【００２０】
添付図面は本発明の実施例を更に説明するためのものであり、本発明の明細書の一部を成す。この図面は説明と共に本発明の実施例の本質を説明する。本発明の他の実施例及びこの実施例による夛くの利益は、後述する詳細な説明を参照してより良く明らかならしめる。図面の構成要素の互の寸法は説明する必要がない。同一符号を同一部分に付す。
【００２１】
図１は本発明の一実施例を示すパッテング練習具の平面図である。
【００２２】
図２は図１に示すパッテング練習具の拡大平面図である。
【００２３】
図３は図１に示すパッテング練習具の第１の側面図である。
【発明を実施するための形態】
【００２４】
本発明の一実施例はパター１８等のゴルフクラブを用いてパッテングするときのゴルフボール１６に対するゴルファの位置を正確に定めてゴルファの能力を向上せしめるためのパッテング練習具２０である。このパッテング練習具２０は、図に示すように反射機構２２と細長い本体２１とを有する。
【００２５】
本発明のパッテング練習具２０によれば、これを用いたゴルファはゴルファがゴルフボール１６に対して正しく位置しているか否か、及びパター１８によってボールを打った後のパター１８の動きとゴルフボール１６の移動をモニタできる。ゴルフボール１６が正しく移動したか否かをモニタすれば、このパッテング練習具２０を用いた使用者は自己のゴルフスイングを改良できる。バックスイングで移動したパター１８の距離をモニタすることによって、使用者はゴルフボール１６が正しく打たれたか否かを評価できるようになる。ゴルフボール１６のパッテングの後のゴルフボールの軌跡をモニタすることによって使用者はパッテングの精度を正しく評価できる。
【００２６】
細長い本体２１は、その両側に位置する第１端２６と第２端２８とを有する。パター１８によるパッテングにより、ボール２６は第１端２６に向って移動する。
【００２７】
細長い本体２１の幅はゴルファがゴルフボール１６を正しくパッテングできるよう十分に狭くする。或る実施例においては、上記幅はパッテング練習具２０で用いるゴルフボール１６の直径より小さくする。他の実施例においては、細長い本体２１の幅は約１インチとする。
【００２８】
細長い本体２１の厚さは、パッテング練習具２０の曲げと破損に耐えるのに十分な大きさとする。細長い本体２１の厚さはこれを作る材料に応じて定める。或る実施例においては、細長い本体２１をプラスチック材料で作った場合、上記厚さを約３／８インチとする。
【００２９】
細長い本体２１の長さは、パッテング練習具２０を用いた使用者がパッテングしたときゴルフボールが直線方向に移動するのに十分な長さとする。或る実施例においては細長い本体２１の長さはその幅の少くとも１０倍とする。上記長さは少くとも２４インチとする。他の実施例においては上記長さは約４８インチとする。
【００３０】
本発明の細長い本体２１は種々の材料から作る。好ましい実施例においては、材料としてプラスチック、木材、金属またはその組み合わせを用いる。或る実施例においては、細長い本体２１の少くとも一部を透明プラスチック材料で作る。
【００３１】
細長い本体２１を透明プラスチック材料で作った場合には、その下面にある表示をプリントできる。表示は細長い本体２１の上面と下面の中間位置に設けても良い。ゴルフボール１６が転動できるよう細長い本体２１の上面は十分に滑らかならしめる。
【００３２】
パッテング練習具２０の上記第２端近くにはティー３０を設ける。このティー３０はゴルフボールがパターで打たれる前にパッテング練習具２０に関連する静止位置にゴルフボールを静止せしめるのに用いられる。
【００３３】
或る実施例においては、このティー３０は反射機構２２の上面に形成したくぼみとする。ティー３０の形は円形とする。パター１８によってゴルフボール１６を打つ前にパター練習具２０に対して固定の位置にゴルフボール１６を保持するためパッテング練習具２０の上面に表面盛り上がり部分を形成しても良い。
【００３４】
ティー３０は、ゴルフボールがティー３０から不用意に外れるのを防ぎ得るのに十分なサイズとする。他方、ティー３０のサイズは、ゴルフボールがティー３０から滑らかに離れ、パッテング練習具２０の上面に沿って転動するに十分な大きさとする。
【００３５】
ティー３０は反射機構２２に形成するが、細長い本体２１に形成しても良い。反射機構２２はティー３０の両側に延びる単一部品とするが、反射機構２２はティー３０の両側に位置する少くとも２つの部品としても良い。
【００３６】
上記ティー３０の少くとも一側に傾斜面３２を形成する。この傾斜面３２はパッテング練習具２０の上面と側面を横切るようにする。この傾斜面３２は弧状面としても良い。或る実施例においては、傾斜面３２はティー３０の近くに形成するがティー３０は横切らないようにする。他の実施例ではこの傾斜面３２はティー３０の近くを横切り、ゴルフボール１６が不用意にティー３０から外れるのを防ぐようティー３０の深さを十分に大きくする。
【００３７】
この傾斜面３２は、パター１８を用いてゴルファがティー３０上にゴルフボールを移動せしめるときの助けとなる。傾斜面３２は、ゴルファがティー３０上にゴルフボール１６を位置せしめるときの体の折り曲げを不要ならしめる。
【００３８】
図１と図２に示すように、少くとも部分的にティー３０から延びる反射機構２２は反射する材料により作る。或る実施例においては、ティー３０は反射機構２２の両端間の中間に位置せしめる。或る実施例においては、反射機構２２はパッテング練習具２０の他の部分とは異なる材料により作る。
【００３９】
反射機構２２は細長い本体２１の第２端２８の近くに設けても良い。或る実施例においては反射機構２２と細長い本体２１の第２端２８間にある間隔を形成せしめる。この間隔は後述する付加機構のために用いる。
【００４０】
反射機構２２の上面は、反射機構２２に隣接する細長い本体２１の上面と一線ならしめる。この結果、ゴルフボールを反射機構２２から細長い本体２１に向って滑らかに転動できるようになる。また、反射機構２２が破損するおそれを減少できる。
【００４１】
或る実施例においては、反射機構２２の幅を細長い本体２１の幅より小さくする。このような形は、反射機構２２を細長い本体２１の材料と異なる材料で作るときに特に好ましい。このような形は、パッテング練習具２０の強度を増大し、パッテング練習具２０の折り曲げまたは破損に抵抗する能力を増大せしめる。
【００４２】
反射機構２２の長さはゴルフボールの直径より大きくし、ゴルフボールをティー３０上に置いたときパッテング練習具２０を用いる使用者が反射機構２２の両端を見得るようにする。或る実施例においては、反射機構２２の長さを約４インチと約６インチの間とする。
【００４３】
パッテング練習具２０の他の部分から反射機構２２を分離する他の例においては、細長い本体２１に反射膜を設けることによって反射機構２２を形成できる。
【００４４】
パッテング練習具２０は反射材料で形成できるが、パッテング練習具２０上にプリントした表示を見る能力が減少するので好ましくない。
【００４５】
ティー３０を反射機構２２の両端間の略中間に位置せしめれば、ゴルファはゴルフボール１６の両側で反射機構２２の端部を視認できるようになる。
【００４６】
パッテング練習具２０の両側縁から略等しい距離の地点で第１の直線４２を反射機構２２の上面で視認できるようにする。この第１の直線４２はパッテング練習具２０を用いる使用者が見得るに十分な幅とし、一方、ゴルファの能力が最小でも反射機構２２からの反射を見得るようにする。
【００４７】
第２の直線４４を反射機構２２に隣接してパッテング練習具２０の上面に設ける。この第２の直線４４は第１の直線４２に整列せしめる。第２の直線４４の幅は第１の直線４２と略同一とする。
【００４８】
パッテング練習具２０には互に離れた複数の表示４５を設ける。この表示４５によりパッテング練習具２０の使用者は自己の動作を評価できるようになる。例えば、パッテング練習具２０上のゴルフボール１６が位置するティー３０からの表示の値が大きくなれば使用者は、そのスイングの技量を知ることができる。この表示４５には例えばインチで示される距離を示す数字を付すようにする。
【００４９】
溝４６をパッテング練習具２０のティー３０と第２端２８間に形成する。この溝４６は略５インチ延ばし、表示に関連してこの溝４６に沿ってバンパー４８を選択的にパッテング練習具２０に設ける。
【００５０】
バンパー４８から延びるねじ部材（図示せず）を回動することによってバンパー４８をパッテング練習具２０の所望の位置に固定する。若しパター１８がこのバンパー４８に接すれば、ゴルファは自己のバックスイングが大き過ぎることを知るようになる。
【００５１】
パッテング練習具２０には溝４６近くで複数のライン５０を形成する。これらライン５０の少くとも幾つかには距離をインチで示した番号５２を付す。このライン５０と番号５２からゴルファはバンパー４８を正確に位置決めできるようになる。
【００５２】
図３に示すようにパッテング練習具２０の上記細長い本体２１の第１端２６に傾斜区域６８を設ける。この傾斜区域６８はゴルフボール１６がパッテング練習具２０の第１端２６から転動する能力を向上せしめる。
【００５３】
この傾斜区域６８はパッテング練習具２０の強度を減ずるためあまり長くしてはならない。或る実施例においては、この傾斜区域６８の長さは約４インチと約８インチの間とする。
【００５４】
傾斜区域６８の一端は十分な厚さとし、パッテング練習具２０のダメージと破損に対応せしめる。或る実施例においては、傾斜区域６８の一端の厚さを、パッテング練習具２０の他の部分の厚さの約１／２とする。
【００５５】
パッテング練習具２０をゴルフのグリーン上で使用するときは、ゴルフボール１６がパッテング練習具２０の端部から滑らかに転動してゴルフグリーン上の孔に進むようになる構造とするのが好ましい。
【００５６】
パッテング練習具２０にはレベル調節機構７０を設ける。或る実施例においてはこのレベル調節機構７０をパッテング練習具２０に沿ってゴルフボール１６が転動する通路と反対側のパッテング練習具２０の第２端２８の近くに設ける。このレベル調節機構７０は気泡を含み、パッテング練習具２０のレベルを多方向で定め得る。
【００５７】
レベル調節機構７０をパッテング練習具２０の第１端２６の一部に設ける場合、これをそこに形成したくぼみ内に配置すればパッテング練習具２０の上面を平らにすることができる。
【００５８】
パッテング練習具２０の操作においては、これを地面上に置けばレベル調節機構７０によりこれを水平にできる。
【００５９】
他の実施例においては、パッテング練習具２０をゴルフグリーンのような水平でない面で使用する場合、使用者はレベル調節機構７０を用いてゴルフグリーンの水平度を知ることができる。
【００６０】
次にゴルフボール１６をティー３０上に置き、使用者はパター１８を握る。使用者はゴルフボール１６に対して所望の位置に立つ。その後使用者は反射機構２２を視認する。これによって使用者は自身が正しい位置にあるか否かを知ることができる。
【００６１】
使用者は、ゴルフボール１６がパッテング練習具２０に沿って進むようパター１８でゴルフボール１６を打つ。ゴルフボール１６がパッテング練習具２０上にとどまる位置によって使用者はスウイングが正しいか否かを評価できる。
【００６２】
本発明においては種々の位置における情報をゴルファにフィードバックする。ゴルファは、ゴルフストロークの始めにおいてゴルファの目がゴルフボールに向けられているか否かを定めることができる。バックスイングが大き過ぎる場合にはパター１８がバンパー４８に接するようになる。
【００６３】
ゴルファは、ゴルフクラブがボールに接したとき、ゴルフクラブのフエースの向きを定めることができる。パターのフエースはゴルフボール１６に対して直角とすべきである。フエースが開いているときはゴルフボール１６はパッテング練習装置２０から左方に移動し、フエースが閉じているときは、ゴルフボール１６は右方に移動するようになる。以上は右きゝのゴルファに対するもので、左きゝのゴルファの場合はその逆となる。
【００６４】
上述の詳細な説明においては、図面に符号を付して行なったがこれは特定の実施例についてのものである。“平面”、“底面”、“前面”、“背面”、“先端”、“後端”等は図面の向きを示すためのものである。実施例では夛くの異なる向きとなり得るものであり、上記のものに限定されるものではない。本発明の範囲内において種々変更でき、本発明の範囲は添付請求項の記載によって定められることは勿論である。  
【００６５】
符号と共に示した本発明の以上の説明は特定の状況に合致するものである。当業者にとって種々変更できることは明らかである。  
【図１】
2016514573.tif 000003
【図２】
2016514573.tif 000004
【図３】
2016514573.tif 000005
【図４】
2016514573.tif 000006
【国際調査報告】
2016514573.tif 000007